(57)【要約】  【課題】  取り扱いが簡単で、使用者がポケットの無い上着を着用している場合にも音聴取本体を確実に身体に着けておくことができる音聴取装置を提供すること。また、加えて、使用者の美的感覚を満足させることができる音聴取装置を提供すること。【解決手段】      集音マイク機能および音を電流信号に変換する機能ならびにアンプ機能を有する音聴取本体１１と、この音聴取本体１１を吊り下げた状態で使用者Ｐの首Ｐ２に掛けられるループ部２２を有する紐体２１と、使用者Ｐの耳Ｐ１に装着可能なイヤホン３１と、当該イヤホン３１と当該音聴取本体１１とを電気的に接続するコード４１とを備える。また、音聴取本体１１の一部または全体を外側から覆いかつ装飾部分（５５）を有する装飾部材５１を備える。【選択図】      図１
2006254239.tif 000002
【特許請求の範囲】
【請求項１】
集音マイク機能および音を電流信号に変換する機能ならびにアンプ機能を有する音聴取本体と、この音聴取本体を吊り下げた状態で使用者の首に掛けられるループ部を有する紐体と、使用者の耳に装着可能なイヤホンと、当該イヤホンと当該音聴取本体とを電気的に接続するコードと、を備えた音聴取装置。
【請求項２】
前記音聴取本体の一部または全体を外側から覆いかつ装飾部分を有する装飾部材を備えた請求項１記載の音聴取装置。
【発明の詳細な説明】
【技術分野】
【０００１】
本発明は、聴力が弱い人の補助具である音聴取装置に関する。
【背景技術】
【０００２】
音聴取装置（一般に補聴器と称されることもある）には、種々のタイプがあるが  図７に示すように、集音マイク機能および音を電流信号に変換する機能ならびにアンプ機能を有する音聴取本体７１と、使用者Ｐの耳Ｐ１に装着可能なイヤホン７３と、当該イヤホン７３と当該音聴取本体７１とを電気的に接続するコード７５と、を備えたタイプのものが通常多く使用されている（例えば、特許文献１、２参照）。
【０００３】
これらのタイプの音聴取装置では、音聴取本体７１は使用者Ｐの上着のポケットＰ９に収容し、イヤホン７３は使用者Ｐの耳Ｐ１に差し込む形式とされているものが一般的である。ここで、通常、音聴取本体７１はポケットＰ９から飛び出ないようにクリップ等の係止具で係止される。また、コード７５は、使用者Ｐの頭Ｐ３と胴体（特に上半身）Ｐ０との相対運動を不必要に制限しないように長いものが使用されている。
【特許文献１】特開２００１−８２９４号公報
【特許文献２】特開２００３−３０９９００号公報
【発明の開示】
【発明が解決しようとする課題】
【０００４】
ところで、最近ではファッションの多様化に伴い、ポケットの無い上着を多く（特に女性用の上着にはポケットの無いものが多い。）が、このような上着を着用している人Ｐが上記した従来の音聴取装置を使用した場合、音聴取本体７１の収容に困ってしまうことになる。例えば、上着の胸部分に音聴取本体７１をクリップで止めたりすることがあるが、これでは音聴取本体７１の固定が不十分で落として破損させてしまう事態も生じる。また、少し無理があるが、音聴取本体７１をズボンのポケットに収容することも考えられるが、これでは身体の動きが不自由となる。
また、会話等の行動時に、手が長寸のコート７５に絡んでイヤホン７３が引っ張られて耳から外れてしまうことがある。この場合、コード７５が長いので、イヤホン７３が使用者Ｐの身体から遠く離れた場所まで飛ばされてしまうことがあり、これを耳Ｐ１に再装着するのに手間取ることになる。
【０００５】
また、従来の音聴取装置は、装飾性に乏しく、また、一見していわゆる補聴器を装着していることが分かってしまうので、使用者の若く見られたいという感覚を満足させることができなかった。
【０００６】
本発明の目的は、取り扱いが簡単で、使用者がポケットの無い上着を着用している場合にも音聴取本体を確実に身体に着けておくことができる音聴取装置を提供することにある。また、加えて、使用者の美的感覚を満足させることができる音聴取装置を提供することにある。
【課題を解決するための手段】
【０００７】
請求項１の発明は、集音マイク機能および音を電流信号に変換する機能ならびにアンプ機能を有する音聴取本体と、この音聴取本体を吊り下げた状態で使用者の首に掛けられるループ部を有する紐体と、使用者の耳に装着可能なイヤホンと、当該イヤホンと当該音聴取本体とを電気的に接続するコードと、を備えた音聴取装置である。
【０００８】
上記構成の請求項1の発明の場合、音聴取本体は使用者の首に掛けられるので、当該使用者がポケットの無い上着を着用している場合にも音聴取本体を確実に身体に着けておくことができる。また、コードを短くしても、使用者の頭と胴体（上半身）との相対移動を不必要な制限しない。また、手等がコードに絡まることを少なくできる。仮に使用者の手等がコードに絡まってイヤホンが引っ張られて耳から外れてしまっても、コードが短くできるので、イヤホンが使用者の身体から遠く離れた場所まで飛ばされてしまうこともなく、これを耳に素早く再装着できる。
【０００９】
また、請求項２の発明は、前記音聴取本体の一部または全体を外側から覆いかつ装飾部分を有する装飾部材で請求項１記載の音聴取装置である。
【００１０】
上記構成の発明の場合、請求項１の発明と同じ効果を奏する他、音聴取本体の一部または全体が装飾部材で覆われるので、当該音聴取本体を隠すことができ、かつ、装飾部材の持つ装飾性、で覆われるので、使用者の美的感覚を満足させることができる。
【発明の効果】
【００１１】
請求項１の発明によれば、音聴取本体と、この音聴取本体を吊り下げた状態で使用者の首に掛けられるループ部分を有する紐体と、使用者の耳に装着可能なイヤホンと、コードと、を備えた構成であるので、音聴取本体は使用者の首に掛けられるので、当該使用者がポケットの無い上着を着用している場合にも音聴取本体を確実に身体に着けておくことができる。また、コードを短くしても、使用者の頭と胴体（上半身）との相対移動を不必要な制限しない。また、手等がコードに絡まることを少なくできる。仮に使用者の手等がコードに絡まってイヤホンが引っ張られて耳から外れてしまっても、コードを短くできるので、イヤホンが使用者の身体から遠く離れた場所まで飛ばされてしまうこともなく、これを耳に素早く再装着できる。
【００１２】
また、請求項２の発明によれば、前記音聴取本体の一部または全体を外側から覆いかつ装飾部分を有する装飾部材を備えた構成であるので、請求項１の発明と同じ効果を奏する他、音聴取本体を装飾部材で隠すことができ、かつ、装飾部材の持つ装飾性で覆われるので、使用者の美的感覚を満足させることができる。
【発明を実施するための最良の形態】
【００１３】
以下、本発明の実施の形態を図面を参照しながら説明する。
【００１４】
本発明に係る音聴取装置は、図１〜図６に示すように、音聴取本体１１と、紐体２１と、イヤホン３１と、コード４１と、を備えた構成とされている。
【００１５】
以下、本音聴取装置１の各構成要素について詳細に説明する。
【００１６】
まず、音聴取本体１１は、集音マイク機能および音を電流信号に変換する音／電気信号変換機能ならびにアンプ（増幅）機能を有しており、外見は箱型で軽量・小型に形成されている。なお、この音聴取本体１１には、電源としての電池が収容されており、電源スイッチ、他の各種スイッチが設けられている。
【００１７】
次に、紐体２１は、上記した音聴取本体１１を吊り下げた状態で使用者Ｐの首Ｐ２に掛けられるループ部２２を有している。この実施形態では、紐体２１は、柔軟性に富んだ合成繊維を編みこんだ紐状のものとされている。また、本音聴取装置１には、図１および図３に示すネックレス型と、図２、図４および図５に示すペンダント型（いわゆるループタイ型）とがある。いずれの型の音聴取装置１でも、使用者Ｐの首Ｐ２に掛けられる大きさのループ部２２を有している。また、いずれの型の音聴取装置１でも、使用者Ｐの着け心地を低下させない範囲で、なるべく短寸法に形成されている。なお、紐体２１は、音聴取本体１１を使用者Ｐの首に確実に掛けて保持することができれば、例えば、硬い材料（例えば、硬質のプラスチック材料）で形成されていてもよい。あるいは、紐体２１をチェーン状に形成してもよい。なお、この紐体２１の周囲に装飾品（例えば、ビーズ）を取り付けてもよい。
【００１８】
イヤホン３１は、スピーカーで使用者の耳に装着可能に形成されている。
【００１９】
また、コード４１は、上記したイヤホン３１と音聴取本体１１とを電気的に接続する部材である。ネックレス型の本音聴取装置１では、コード４１はイヤホン３１と音聴取本体１１とに直接接続されている。ペンダント型の本音聴取装置１では、コード４１はイヤホン３１と直接接続されているが、音聴取本体１１とは接触部４５を介して接続されている。いずれの型の本音聴取装置１でも、上記した紐体２１と同じくなるべく短寸法に形成されている。この接触部４５は、導電体の円管状とされており、コード４１の図２中下方端部に装着されて音聴取本体１１側の電気接続部（図示省略）に分離可能に接続される構成とされている。音聴取本体１１とイヤホン３１とを電気的に接続するには、図４に示すように当該音聴取本体１１を電源を入れた状態で上に持ち上げて、その電気接続部をコード４１側の接触部４５に接触される。なお、電気接続を解除するには、音聴取本体１１を下方に移動させて電気接続部をコード４１側の接触部４５から分離させる。
【００２０】
また、本音聴取装置１では、音聴取本体１１の一部または全体を外側から覆いかつ装飾部分を有する装飾部材５１を備えた構成とされている。例えば、図６に示すように、装飾部材５１は、音聴取本体１１全体を外側から覆えるケースとされている。この装飾部材５１の表面には、装飾としての模様が５５つけられている。
【００２１】
本音聴取装置１は、上記した構成を有するので、音聴取本体１１は使用者Ｐの首Ｐ２に掛けられる。これにより、使用者Ｐがポケットの無い上着を着用している場合にも音聴取本体１１を確実に身体に着けておくことができる。また、コード４１は、短寸法であるとされているが、使用者Ｐの頭Ｐ３と胴体（上半身）との相対移動を不必要な制限しない。また、手等がコード４１に絡まることを少なくできる。また、仮に使用者Ｐの手等がコード４１に絡まってイヤホン３１が引っ張られて耳から外れてしまっても、コード４１が短寸法であるとされているので、イヤホン３１が使用者Ｐの身体から遠く離れた場所まで飛ばされてしまうこともなく、これを耳Ｐ２に素早く再装着できる。
【００２２】
また、音聴取本体１１の一部または全体は、装飾部材５１で外側から覆われ、かつ、当該装飾部材５１は装飾部分（５５）を有するので、当該音聴取本体１１を隠すことができ、かつ、装飾部材５１の持つ装飾性によって使用者Ｐの美的感覚を満足させることができる。
【図面の簡単な説明】
【００２３】
【図１】本発明に係るネックレス型の音聴取装置を説明するための図である。
【図２】ペンダント型の音聴取装置を説明するための図である。
【図３】ネックレス型の音聴取装置を使用した状態を示す図である。
【図４】ペンダント型の音聴取装置の使用状態（１）を示す図である。
【図５】ペンダント型の音聴取装置の使用状態（２）を示す図である。
【図６】装飾部材を説明するための斜視図である。
【図７】従来の音聴取装置を説明するための図である。
【符号の説明】
【００２４】
１    音聴取装置
１１    音聴取本体
２１    紐体
２２    ループ部
３１    イヤホン
４１    コード
４５    接触部
５１    装飾部材
５５  模様（装飾部分）
Ｐ    使用者
Ｐ１    耳
Ｐ２    首
Ｐ３    頭
【図１】
2006254239.tif 000003
【図２】
2006254239.tif 000004
【図３】
2006254239.tif 000005
【図４】
2006254239.tif 000006
【図５】
2006254239.tif 000007
【図６】
2006254239.tif 000008
【図７】
2006254239.tif 000009